(57)【要約】  【課題】本発明は、複数対象毎の可変データで多面付け印刷を行う印刷処理方法および印刷処理制御システムに関し、複数対象毎に可変データ印刷が要求される多面付け印刷後に各対象毎に対応させた頁順に配置可能とさせることを目的とする。  【解決手段】全部の複数顧客の全印刷データファイルにおける全頁の総てを合成し（Ｓ１）、合成した総頁を面付け数で区分けし（Ｓ２）、適宜、多面付けで印刷させるための基本的事項を設定し（Ｓ３）、合成した総頁を面付け領域に多面付け印刷させ、印刷後の重ね状態で各面付けブロック毎に断裁されて当該各面付けブロックが重ねられることで単一のブロックとされたときに、各顧客毎の頁を順に配置された状態とさせるべく、各顧客毎に対応させて総ての頁をレイアウトし（Ｓ４）、単一の印刷データファイルとして印刷処理システムに送る（Ｓ５）、構成とする。  【選択図】  図１
2005313522.tif 000002
【特許請求の範囲】
【請求項１】
複数対象毎の可変データを印刷処理システムで印刷させて断裁させるためのもので、当該複数対象毎の印刷データファイルに基づいて多面付け設定事項で印刷を行わせる印刷処理方法であって、
印刷を行う全部の前記複数対象の全印刷データファイルにおける全頁の総てを合成するステップと、
前記合成した総頁を面付け数で区分けするステップと、
前記合成した総頁を設定された各面付け領域に多面付け印刷させ、印刷後の重ね状態で各面付けブロック毎に断裁されて当該各面付けブロックが重ねられることで単一のブロックとされたときに、各対象毎の頁が順に配置された状態とさせるべく、各対象毎に対応させて総ての頁を当該面付け領域にレイアウトするステップと、
各対象毎の総ての頁がレイアウトされた印刷データを単一の印刷データファイルとして前記印刷処理システムに送るステップと、
を含むことを特徴とする印刷処理方法。
【請求項２】
請求項１記載の印刷処理方法であって、前記印刷処理システムで前記面付け領域の両面で印刷させるに際して、前記各対象毎の印刷データファイルより当該対象毎の頁数を判別して、奇数の場合に当該対象の最終頁の後に空白頁を挿入して偶数とした印刷データファイルに更新させることを特徴とする印刷処理方法。
【請求項３】
複数対象毎の可変データを印刷処理システムで印刷させて断裁させるためのもので、当該複数対象毎の印刷データファイルに基づいて多面付け設定事項で印刷を行わせる印刷処理制御システムであって、
印刷を行う全部の前記複数対象の全印刷データファイルにおける全頁の総てを合成するファイル合成手段と、
少なくとも、前記合成した総頁を面付け数で区分けし、前記合成した総頁を設定された各面付け領域に多面付け印刷させ、印刷後の重ね状態で各面付けブロック毎に断裁されて当該各面付けブロックが重ねられることで単一のブロックとされたときに、各対象毎の頁が順に配置された状態とさせるべく、各対象毎に対応させて総ての頁を当該面付け領域にレイアウトし、単一の印刷データファイルとして前記印刷処理システムに送る印刷編集手段と、
を有することを特徴とする印刷処理システム。
【請求項４】
請求項３記載の印刷処理制御システムであって、前記印刷処理システムに前記面付け領域の両面で印刷させるに際して、前記各対象毎の印刷データファイルより当該対象毎の頁数を判別して、奇数の場合に当該対象の最終頁の後に空白頁を挿入して偶数とした印刷データファイルに更新させる頁付加手段を備えることを特徴とする印刷処理制御システム。
【発明の詳細な説明】
【技術分野】
【０００１】
本発明は、複数対象毎の可変データで多面付け印刷を行う印刷処理方法および印刷処理制御システムに関する。
【背景技術】
【０００２】
近年、ファイルフォーマットの共通化を図ったＰＤＦ（Ｐｏｒｔａｂｌｅ  Ｄｏｃｕｍｅｎｔ  Ｆｏｒｍａｔ）形式のドキュメントファイルでファイル作成することが盛んになってきており、印刷業界においても元データがＰＤＦで作成されて各種帳票、通知事項の印刷や、製本印刷等が行われてきている。この場合、印刷に際して多面付けを行い、印刷効率の向上が図られているが、多面付けレイアウトを取り扱う形態に応じて行う必要がある。
【０００３】
従来、ＰＤＦ型式の元データに基づいて印刷を行う場合、色変換やフォントのエンベット（埋め込み）等が行われ、例えば製本印刷では印刷後の取扱い形態に応じて２面付けレイアウトが行われる。このような印刷内容を印刷後の取扱い形態によって頁毎にレイアウトを行う方法や処理システムが種々提案されており、例えば以下の特許文献で提案されている。
【０００４】
【特許文献１】特開２００３−２２３２９０号公報
【０００５】
上記特許文献では、ユーザの所望する製本表紙を容易に得ることを可能とすることを目的とした製本印刷制御装置等が示されており、具体的には、表紙を付加した製本印刷をプリンタで行う場合に、表紙に印刷するページ数を算出し、印刷データの総ページ数に応じて、当該表紙に該当ページを面付けし、当該表紙を除いた用紙に残りのページを面付けし、面付けされた印刷データに基づき最終的にプリンタに送信する印刷データを生成するというものである。
【発明の開示】
【発明が解決しようとする課題】
【０００６】
ところで、複数顧客に対応させた可変データを多面付け印刷して所定枚数で各面毎のブロックで断裁したときに、当該ブロック毎または各ブロックを跨って各顧客毎に対応させた頁順に配置させるという形態が、例えば後に封筒詰めするときに取扱いを容易とさせることができる。しかしながら、上記特許文献に記載されている製本印刷制御装置等は、印刷後の取扱い形態が製本形態であって、印刷後に所定枚数重ねて２つ折りさせて見開き形態とさせるためのレイアウト処理の手法であり、上述のように、各顧客毎に対応させた頁順に配置させるという取扱い形態には適用することができない。
【０００７】
そこで、本発明は上記課題に鑑みなされたもので、複数対象毎に可変データ印刷が要求される多面付け印刷後に各対象毎に対応させた頁順に配置可能とさせる印刷処理方法および印刷処理制御システムを提供することを目的とする。
【課題を解決するための手段】
【０００８】
上記課題を解決するために、請求項１の発明では、複数対象毎の可変データを印刷処理システムで印刷させて断裁させるためのもので、当該複数対象毎の印刷データファイルに基づいて多面付け設定事項で印刷を行わせる印刷処理方法であって、印刷を行う全部の前記複数対象の全印刷データファイルにおける全頁の総てを合成するステップと、前記合成した総頁を面付け数で区分けするステップと、前記合成した総頁を設定された各面付け領域に多面付け印刷させ、印刷後の重ね状態で各面付けブロック毎に断裁されて当該各面付けブロックが重ねられることで単一のブロックとされたときに、各対象毎の頁が順に配置された状態とさせるべく、各対象毎に対応させて総ての頁を当該面付け領域にレイアウトするステップと、各対象毎の総ての頁がレイアウトされた印刷データを単一の印刷データファイルとして前記印刷処理システムに送るステップと、を含む構成とする。
【０００９】
請求項２の発明では、前記印刷処理システムで前記面付け領域の両面で印刷させるに際して、前記各対象毎の印刷データファイルより当該対象毎の頁数を判別して、奇数の場合に当該対象の最終頁の後に空白頁を挿入して偶数とした印刷データファイルに更新させる構成である。
【００１０】
請求項３の発明では、複数対象毎の可変データを印刷処理システムで印刷させて断裁させるためのもので、当該複数対象毎の印刷データファイルに基づいて多面付け設定事項で印刷を行わせる印刷処理制御システムであって、印刷を行う全部の前記複数対象の全印刷データファイルにおける全頁の総てを合成するファイル合成手段と、少なくとも、前記合成した総頁を面付け数で区分けし、前記合成した総頁を設定された各面付け領域に多面付け印刷させ、印刷後の重ね状態で各面付けブロック毎に断裁されて当該各面付けブロックが重ねられることで単一のブロックとされたときに、各対象毎の頁が順に配置された状態とさせるべく、各対象毎に対応させて総ての頁を当該面付け領域にレイアウトし、単一の印刷データファイルとして前記印刷処理システムに送る印刷編集手段と、を有する構成とする。
【００１１】
請求項４の発明では、前記印刷処理システムに前記面付け領域の両面で印刷させるに際して、前記各対象毎の印刷データファイルより当該対象毎の頁数を判別して、奇数の場合に当該対象の最終頁の後に空白頁を挿入して偶数とした印刷データファイルに更新させる頁付加手段を備える構成である。
【発明の効果】
【００１２】
本発明によれば、印刷を行う全部の複数対象の全印刷データファイルにおける全頁の総てを合成し、合成した総頁を面付け数で区分けし、合成した総頁を上記面付け領域に多面付け印刷させ、印刷後の重ね状態で各面付けブロック毎に断裁されて当該各面付けブロックが重ねられることで単一のブロックとされたときに、各対象毎の頁を順に配置された状態とさせるべく、各対象毎に対応させて総ての頁を各面付け領域にレイアウトして単一の印刷データファイルとして印刷処理システムに送る構成とすることにより、複数対象毎に可変データ印刷が要求される多面付け印刷後に各対象毎に対応させた頁順に配置させることができるものである。
【発明を実施するための最良の形態】
【００１３】
以下、本発明の最良の実施形態を図により説明する。
図１に、本発明に係る印刷処理方法の原理説明図を示す。図１（Ａ）は印刷処理方法の原理フローチャート、図１（Ｂ）は多面付け印刷のための基本的事項の説明図、図１（Ｃ）は多面付け印刷後の取扱い形態の説明図である。
【００１４】
図１（Ａ）において、本発明に係る印刷処理方法は、複数対象毎の可変データを印刷処理システムで印刷させて断裁させるためのものとして、当該複数対象毎の印刷データファイルに基づいて多面付け印刷を行わせるもので、可変データ印刷対象である全部の複数顧客の全印刷データファイルにおける全頁の総てを合成して単一のロット印刷データファイルの対象として特定する（ステップ（Ｓ）１）。当該ロット印刷データファイルの対象とされる合成した総頁を面付け数で区分けし、適宜、区分け先頭が所定顧客の先頭頁とすべく調整する（Ｓ２）。また、適宜、全顧客の総頁を所定数の面付け（多面付け）で印刷させるための基本的事項を設定する（Ｓ３）。
【００１５】
そして、印刷領域に合成した総頁を上記各面付け領域に多面付け印刷させ、印刷後の重ね状態で各面付けブロック毎に断裁されて当該各面付けブロックが重ねられることで単一のブロックとされたときに、各顧客毎の頁を順に配置された状態とさせるべく、各顧客毎に対応させて総ての頁を各面付け領域にレイアウトし（Ｓ４）、各顧客毎の総頁がレイアウトされた印刷データを単一のロット印刷データファイルとして印刷処理システムに送るものである（Ｓ５）。なお、Ｓ２において、断裁後の区分けブロックが重ねられて単一ブロックとされたときには所定顧客の頁順が連続することから、必ずしも区分け先頭を所定顧客の先頭頁とする必要はないが、例えばレイアウト編集後にオペレータによる確認を容易とさせることができるものである。
【００１６】
ここで、図１（Ｂ）において、上記Ｓ３で行う基本的事項は、例えば２面付け印刷を例として説明すると、まず、多面付け枚葉紙１１の用紙サイズが設定される。例えばＡ４サイズの２面付けの場合は、Ａ３サイズより一回り大の用紙サイズが設定される。これは、周辺に以下の所定事項を含ませるためである。すなわち、当該多面付け枚葉紙１１に例えば２つの多面付けエリア１２，１３が設定され、その周辺にいわゆるトンボと称されるレジスタマーク１４が設定される。また、多面付けエリア１２，１３に対応させて印刷対象の顧客に応じたバーコード１５Ａ，１５Ｂ、管理符号（例えば顧客ＩＤ）１６Ａ，１６Ｂおよび適宜頁付けが周辺の所定位置に設定されるものである。なお、基本事項の設定において、各顧客毎の印刷データファイルに対応したフォントのエンベットも行われる。
【００１７】
また、図１（Ｃ）において、上記Ｓ４で行うレイアウトは、詳細は後述するが、印刷処理システムで多面付け印刷（２面付け印刷）されて当該印刷後の上記多面付けエリア１２，１３の重ね状態で各面付けブロック１７Ａ，１７Ｂに断裁されて当該各ブロック１７Ａ，１７Ｂが重ねられることで単一の総合ブロック１８とされたときに、各顧客毎の頁が順に配置された状態とされるように行われるものである。すなわち、ブロック１７Ａにおいて各顧客毎の頁が順に配置され、さらにブロック１７Ｂにおいても各顧客毎の頁が順に配置されることで総合ブロック２０において各顧客毎の頁が順に配置されるものである。
【００１８】
そこで、図２に、本発明に係る印刷処理制御システムの一実施形態を含む印刷システム全体のブロック構成図を示す。図２において、印刷システムは、印刷処理制御システム２１および印刷処理システム２２で構成され、当該印刷処理システム２２は印刷手段２３および断裁手段２４を備える。そして、他のシステムより送られてくる顧客データ（印刷データファイル）を格納する顧客ファイルＤＢ２５が含まれる。
【００１９】
上記印刷処理システム２２の印刷手段２３は、デジタル枚葉印刷装置として片面印刷または両面印刷が可能なもので、通常使用されているページ印刷装置である。なお、両面印刷の場合は用紙反転機構が備えられるもので、後述の図５で説明するように表面印刷と裏面印刷とでは印刷先頭が逆転する。上記断裁手段２４は、上記多面付け枚葉に１１に設定されて印刷されたレジスタマーク１４に基づいて、印刷後に重ねられた各面付け領域のブロック状態で上記多面付けエリア１２，１３毎に縦方向に断裁する。そして、顧客ファイルＤＢ２５は、印刷処理制御システム２１に提供される対象である顧客の全部の印刷データファイルが格納されるもので、例えばＰＤＦフォーマットとして格納され、全顧客の当該ＰＤＦフォーマットの印刷データファイルが当該印刷処理制御システム２１に、例えば図示しないネットワーク等を介して提供されるものである。
【００２０】
上記印刷処理制御システム２１は、複数の顧客毎の可変データを印刷処理システム２２の印刷手段２３で印刷させて断裁手段２４で断裁させるためのものとして、当該複数顧客毎の印刷データファイルに基づいて多面付け印刷を行わせるもので、適宜、制御手段３１、ＲＡＭ３２、フォント変換テーブルＴＢ３３Ａが備えられるエンベット手段３３、頁付加手段３４、ファイル合成手段３５、印刷編集手段３６、ログファイル作成手段３７、設定手段３８、表示手段３９、入力手段４０、ファイル管理ＤＢ４１および印刷ファイルＤＢ４２等がバス等を介して接続されて構成される。なお、ファイル管理ＤＢ４１および印刷ファイルＤＢ４２は、当該システム内ではなく外部のＤＢシステムまたは外部記憶装置として、全部または個別に設置される構成としてもよい。
【００２１】
上記制御手段３１は、このシステムを統括的に制御するもので、例えば物理的なＣＰＵに制御のためのプログラムが格納され、当該プログラムはＲＡＭ３２等に展開されて実行される。当該ＲＡＭ３２は、種々のプログラムを展開、実行させるための作業領域としての役割をするものであり、例えば半導体メモリで構成され、仮想的にハードディスク上に構築される場合をも含む概念である。上記エンベット手段３３は、提供される各顧客のＰＤＦフォーマットの印刷データファイルに使用されているフォントを印刷用フォントに置き替えて埋め込むもので、そのためのプログラムがＲＡＭ３２に展開されて実行される。当該エンベット手段３３はフォントを置き替えるためのテーブル３３Ａを備え、置き替えるフォントは例えば印刷ファイルＤＢ４２に格納されている。
【００２２】
上記頁付加手段３４は、主に多面付け枚葉紙１１に後述の両面印刷するときに使用されるものであり、各顧客毎の印刷データファイルより当該顧客毎の頁数を判別して、奇数の場合に当該対象の最終頁の後に空白頁を挿入して偶数とした印刷データファイルに更新させるもので、そのためのプログラムがＲＡＭ３２に展開されて実行される。上記ファイル合成手段３４は、印刷を行う全部の顧客の全印刷データファイルにおける全頁を合成して単一のＰＤＦフォーマットファイルの対象として特定するもので、そのためのプログラムがＲＡＭ３２に展開されて実行される。
【００２３】
上記印刷編集手段３６は、上述のように、上記ファイル合成手段３５で合成された総頁を設定される面付け数で区分けし、多面付け枚葉紙１１の設定された面付け領域に当該合成した総頁を多面付け印刷させ、印刷後の重ね状態で各面付けブロック毎に断裁されて当該各面付けブロックが重ねられることで単一の総合ブロック１８とされたときに、各対象毎の頁を順に配置された状態とさせるべく、各対象毎に対応させて総ての頁を各面付け領域にレイアウトし、単一のＰＤＦフォーマットのロット印刷データファイルとして例えば一旦印刷ファイルＤＢ４２に格納し、上記印刷処理システム２２に送らせるもので、そのためのプログラムがＲＡＭ３２に展開されて実行される。また、当該印刷編集手段３６は、合成した総頁を面付け数で区分けする際に、区分け先頭が所定対象の先頭頁とすべく調整し、さらにレイアウトのための印刷設定ファイルを作成して例えばファイル管理ＤＢ４１に格納するもので、そのためのプログラムをもＲＡＭ３２に展開されて実行される。なお、上述のように、断裁後の区分けブロックが重ねられて単一ブロックとされたときには所定顧客の頁順が連続することから、必ずしも区分け先頭を所定顧客の先頭頁とする必要はないが、例えばレイアウト編集後にオペレータによる確認を容易とさせることができるものである。
【００２４】
上記ログファイル作成手段３７は、処理の実行結果が記述されるファイルであり、１回の処理（ロット印刷）毎に作成するもので、そのためのプログラムがＲＡＭ３２に展開されて実行される。このログファイル作成手段３７で作成されたログファイルは例えばファイル管理ＤＢ４１に格納される。なお、特にログファイルが必要でなければ当該ログファイル作成手段３７は不要となる。
【００２５】
上記設定手段３８は、印刷処理の内容を必要に応じて定義する基本設定ファイルを作成するものであって、片面印刷や両面印刷の設定と共に、例えば上述のようにレジスタマーク１４の配置位置、バーコード１５、管理符号１６の付与や配置位置等の基本的事項の設定を表示手段３９で確認させながら入力手段４０より入力させて作成したファイルを例えばファイル管理ＤＢ４１に格納させるもので、そのためのプログラムがＲＡＭ３２に展開されて実行される。上記ファイル管理ＤＢ４１は、上記レイアウトのための印刷設定ファイル、ログファイルや上記基本設定ファイル等を格納するデータベースである。そして、上記印刷ファイルＤＢ４２は、上述のように提供される各顧客毎の印刷データファイルやエンベット用フォントを格納すると共に、上記印刷編集手段３６で作成される単一のＰＤＦフォーマットの印刷データファイルを適宜格納するものである。
【００２６】
次に、図３に本発明に係る印刷処理制御システムの２面付け片面印刷レイアウトの基本説明図を示すと共に、図４に図３の２面付け片面印刷レイアウトの処理説明図を示す。当該片面印刷は、ここでは２面付けとして説明するが、何面付けであっても適用することができるものである。図３（Ａ）において、印刷を行う全顧客の印刷対象の全頁を合成した後に、合成した総頁を面付け数である２分割することで、多面付けエリア（印刷エリア）の第１段目の対象と、多面付けエリアの第２段目の対象とに分けられる。
【００２７】
そして、図３（Ｂ）に示すように、各第１段目の対象と第２段目の対象毎の各顧客に対応する対象頁に対して、面付け領域の各段毎に順番で総枚数に対する対象頁が割り振られ、印刷エリアの面付け領域（第１段、第２段）が設定されるものである。例えば、第１段の対象における最初の顧客の第１頁目を総頁の第１頁とさせ、第２段の対象における最初の顧客の第１頁目を総頁の第１頁とさせる。このようにして第１段および第２段の対象毎に、総頁（総枚数）に対応した各顧客の対象頁、面付け領域が設定されるもので、これが印刷設定ファイル５１となる。
【００２８】
そこで、図３（Ｃ）に示す印刷イメージのように、上記印刷設定ファイル５１に基づいて、設定された総頁の各頁毎の多面付け枚葉紙に２面付けの第１段および第２段の面付け領域が設定され、第１段に上記面付け領域の第１段目の総頁の各対象頁を配置し、第２段に上記面付け領域の第２段目の総頁の各対象頁を配置するもので、この印刷データが印刷処理システム２２に送られるロット印刷データファイル（上記基本的事項の設定を含む）５２となるものである。
【００２９】
全体的には、図４（Ａ）に示すように、上記ファイル合成手段３５が、顧客ファイルＤＢ２５より提供されて印刷ファイルＤＢ４２に格納されている印刷対象の全顧客の全印刷データファイル（例えばＰＤＦフォーマット）を読み出し、当該全印刷データファイルにおける全頁の総てを合成して単一のロット印刷データファイル（例えばＰＤＦフォーマット）の対象とする。続いて、印刷編集手段３６が、まず設定手段３８で設定された基本事項の印刷用紙の大きさ、面付け数（ここでは２面付け）および印刷形態（ここでは片面印刷）に基づいて、図４（Ｂ）に示すように、合成した総頁を面付け数で２つに区分けして第１段および第２段とし、このとき上述のように区分け先頭が所定顧客の先頭頁とすべく調整する。例えば、２分割したときに第２段の先頭頁が所定顧客の先頭頁にならないときには、次の顧客の先頭頁を当該第２段の先頭頁とさせるように調整する。なお、総頁数が奇数の場合であって、かつ第２段の先頭頁を所定顧客の先頭頁とさせない場合には、第１段の頁数を１頁分多くすることで第１段と第２段の間に空白頁が挿入されることを防止させることができるものである。そして、各顧客の対象頁を総頁に対応させて設定すると共に、面付け領域を設定することで図３（Ｂ）に示す印刷設定ファイル５１を作成する。
【００３０】
そこで、上記印刷設定ファイル５１に基づいて、図４（Ｃ）に示すように、総枚数の各対象頁毎の多面付け枚葉紙に２面付けの第１段および第２段の面付け領域を設定し、第１段に上記面付け領域の第１段目の総頁の各対象頁を配置させ、第２段に上記面付け領域の第２段目の総頁の各対象頁を配置させるレイアウト処理を行う。このとき、各面付け領域の周囲に、図１（Ｂ）に示すようにレジスタマーク１４を付加し、当該印刷エリアに配置された対応の顧客に応じたバーコード１５および管理番号（顧客ＩＤ）１６をファイル管理ＤＢ４１より抽出して付加し、適宜頁を付加する。そして、元データである各顧客毎の印刷データファイルに対応するフォントの埋め込みをエンベット手段３３により行わせて全体を単一のロット印刷データファイル（例えばＰＤＦフォーマット）５２として印刷処理システム２２の印刷手段２３に送る。
【００３１】
印刷手段２３では、ロット印刷データファイル５２に基づいて、当該印刷データを例えば印刷方式のページ記述データに変換して印刷を行うもので、印刷後は印刷順に積み重ねられた状態とされる。そして、断裁手段２４において、印刷用紙における第１段および第２段の各面付け領域毎にレジスタマーク１４に基づいて重ね方向に断裁する。断裁された状態が、図４（Ｃ）に示されるように、第１段に対応した第１の断裁ブロック１７Ａと、第２段に対応した第２の断裁ブロック１７Ｂとなる。この第１の断裁ブロック１７Ａを第２の断裁ブロック１７Ｂ上に重ねることで、図４（Ｄ）に示すように単一の総合ブロック１８とするものであり、このとき当該総合ブロック１８は各顧客毎の対象頁が順に配置された状態となるものである。
【００３２】
次に、図５に本発明に係る印刷処理制御システムの２面付け両面印刷レイアウトの基本説明図を示すと共に、図６および図７に図５の２面付け両面印刷レイアウトの処理説明図を示す。図５（Ａ）において、まず、両面印刷の特性として各顧客の印刷先頭頁が常に印刷用紙の表面とさせるためには総て偶数頁としなければならない。すなわち、所定顧客の印刷データファイルが奇数頁の場合には、その最終頁の後に空白頁を挿入させることで偶数頁とされるもので、全顧客の各印刷データファイルを総て偶数頁とさせる。このとき、後述の印刷設定ファイル６１では空白頁が挿入される場合として付加頁フラグが立てられる。
【００３３】
一方、図５（Ｂ）に示すように、両面印刷を行う印刷手段２３では、上述のように反転機構により表面印刷の印刷先頭と、裏面印刷の印刷先頭とは反転する。なお、図中の「○」は印刷先頭を説明するためだけのものである。ここでは、２面付け両面印刷として、表面において印刷先頭から最初に印刷される面付け領域である１番目エリアＡを第１段表（Ｓ−Ａ）とし、次に印刷される面付け領域である２番目エリアＢを第２段表（Ｓ−Ｂ）とする。また、裏面において印刷遷都から最初に印刷される１番目エリアＡを第２段裏（Ｒ−Ａ）とし、次に印刷される２番目エリアＢを第１段裏（Ｒ−Ｂ）とする。すなわち、印刷用紙１１の左側を第１段、右側を第２段の２面付けとしたときに、第１段では表面がＳ−Ａ、裏面がＲ−Ｂとなり、第２段では表面がＳ−Ｂ、裏面がＲ−Ａとなる。
【００３４】
そこで、各顧客の印刷対象頁が総て偶数頁とされて合成されたファイルの総頁が２分割され、各区分けされた第１段目と第２段目のそれぞれに総枚数（２頁で１枚）に対する対象頁の頁付けがされてレイアウト処理が行われる。すなわち、図５（Ｃ）、（Ｄ）において、総枚数の対象頁の奇数頁に表面での印刷として表面フラグを立て、偶数頁に裏面での印刷として裏面フラグを立てる（Ｓ１１）。続いて、第１段目において、表面フラグが立っている頁に面付け領域の印刷先頭から１番目エリア（Ｓ−Ａ）を設定し（Ｓ１２）、当該第１段目において裏面フラグが立っている頁に面付け領域の印刷先頭から２番目エリア（Ｒ−Ｂ）を設定する（Ｓ１３）。また、第２段目において、表面フラグが立っている頁に面付け領域の印刷先頭から２番目エリア（Ｓ−Ｂ）を設定し（Ｓ１４）、当該第２段目において裏面フラグが立っている頁に面付け領域の印刷先頭から１番目エリア（Ｒ−Ａ）を設定するものである（Ｓ１５）。このように面付け領域が設定されて、図５（Ｄ）に示すような印刷設定ファイル６１とされるものである。
【００３５】
全体的には、図６（Ａ）において、上記頁付加手段３４が顧客ファイルＤＢ２５より提供されて印刷ファイルＤＢ４２に格納されている印刷対象の全顧客の全印刷データファイルを読み出し、各顧客毎の頁数を判別して所定顧客の印刷データファイルが奇数頁の場合には、その最終頁の後に空白頁を挿入することで偶数頁とする印刷データファイルに更新する。
【００３６】
上記ファイル合成手段３５が、図６（Ｂ）に示すように、全顧客の更新された印刷データファイルと更新されなかった印刷データファイルの全印刷データファイルにおける全頁の総てを合成して単一のロット印刷データファイルの対象とする。続いて、印刷編集手段３６が、まず設定手段３８で設定された基本事項の印刷用紙の大きさ、面付け数（ここでは２面付け）および印刷形態（ここでは両面印刷）に基づいて、合成した総頁を面付け数で２つに区分けして第１段および第２段とし、このとき上記同様に区分け先頭が所定顧客の先頭頁とすべく調整する。そして、各顧客の対象頁を総枚数の対象頁に対応させて設定すると共に、図５（Ｃ）に示すようなアルゴリズで面付け領域を設定することで図５（Ｄ）に示す印刷設定ファイル６１を作成する。
【００３７】
また、上記印刷設定ファイル６１に基づいて、図７（Ａ）に示すように、総枚数の各対象頁毎の多面付け枚葉紙に２面付け両面の第１段および第２段の面付け領域（Ｓ−Ａ、Ｓ−Ｂ、Ｒ−Ｂ、Ｒ−Ａ）を設定して面付けしていく。例えば、図のように総枚数の１枚目表には第１番目エリア（Ｓ−Ａ）に顧客「ＡＡＡ」の対象１頁目、第２番目エリア（Ｓ−Ｂ）に顧客「ＮＮＮ」の対象１頁目が配され、総枚数の１枚目裏には第１番目エリア（Ｒ−Ａ）に顧客「ＮＮＮ」の対象２頁目、第２番目エリア（Ｒ−Ｂ）に顧客「ＡＡＡ」の対象２頁目が配される。以降、総枚数の２枚目以降のレイアウトも同様に順次上記印刷設定ファイル６１に基づいてレイアウト処理が行われるものである。
【００３８】
このとき、各面付け領域（一方面でも、両面でもよい）の周囲に、図１（Ｂ）に示すようにレジスタマーク１４を付加し、当該面付け領域に配置された対応の顧客に応じたバーコード１５および管理番号（顧客ＩＤ）１６をファイル管理ＤＢ４１より抽出して付加し、適宜頁を付加する。そして、元データである各顧客毎の印刷データファイルに対応するフォントの埋め込みをエンベット手段３３により行わせて全体を単一のロット印刷データファイル（例えばＰＤＦフォーマット）６２として印刷処理システム２２の印刷手段２３に送る。
【００３９】
印刷手段２３では、ロット印刷データファイル６２に基づいて、当該印刷データを例えば印刷方式のページ記述データに変換して印刷を行い、図７（Ｂ）に示すように、印刷後は印刷順に積み重ねられた状態とされる。そして、断裁手段２４において、印刷用紙における第１段および第２段の各面付け領域毎にレジスタマーク１４に基づいて重ね方向に断裁する。断裁された状態が、図７（Ｃ）に示されるように、第１段に対応した第１の断裁ブロック１７Ａと、第２段に対応した第２の断裁ブロック１７Ｂとなる。この第１の断裁ブロック１７Ａを第２の断裁ブロック１７Ｂ上に重ねることで、上述の図４（Ｄ）に示すように単一の総合ブロック１８とするものであり、このとき当該総合ブロック１８は各顧客毎の対象頁が両面で順に配置された状態となるものである。
【００４０】
次に、図８に本発明に係る印刷処理制御システムの４面付け両面印刷レイアウトの基本説明図を示すと共に、図９および図１０に図８の４面付け両面印刷レイアウトの処理説明図を示す。当該４面付け両面印刷レイアウトは、基本的には、２面付け両面印刷レイアウトを２つ組合わせたレイアウト処理が可能であり、したがってそれ以上の面付け両面印刷であって、偶数の面付け両面印刷に適用することができるものである。この場合であっても上記図５（Ａ）に示すように、所定顧客の印刷データファイルが奇数頁の場合には、その最終頁の後に空白頁を挿入させることで偶数頁とされるもので、全顧客の各印刷データファイルは総て偶数頁とさせる。このとき、後述の印刷設定ファイル７１では空白頁が挿入される場合として付加頁フラグが立てられるものである。
【００４１】
レイアウト処理は、図８（Ａ）に示すように、４面付け両面印刷として、表面において印刷先頭から最初に印刷される１番目エリアＡを第１段表（Ｓ−Ａ）、３番目エリアＣを第３段表（Ｓ−Ｃ）とし、次に印刷される２番目エリアＢを第２段表（Ｓ−Ｂ）、４番目エリアＤを第４段表（Ｓ−Ｄ）とする。また、裏面において印刷先頭から最初に印刷される１番目エリアＡを第２段裏（Ｒ−Ａ）、３番目エリアＣを第４段裏（Ｒ−Ｃ）とし、次に印刷される２番目エリアＢを第１段裏（Ｒ−Ｂ）４番目エリアＤを第３段裏（Ｒ−Ｄ）とする。
【００４２】
すなわち、印刷用紙１１の左側を第１段および第３段、右側を第２段および第４段の４面付けとしたときに、第１段では表面がＳ−Ａ、裏面がＲ−Ｂとなり、第２段では表面がＳ−Ｂ、裏面がＲ−Ａとなり、第３段では表面がＳ−Ｃ、裏面がＲ−Ｄとなり、第４段では表面がＳ−Ｄ、裏面がＲ−Ｃとなるものである。なお、第１段および第２段の表裏Ａ、Ｂの２面付け両面印刷レイアウトと、第３段および第４段の表裏Ｃ、Ｄの２面付け両面印刷レイアウトとを合わせた形で４面付け両面印刷レイアウトとなるものである。
【００４３】
そこで、各顧客の印刷対象頁が総て偶数頁とされて合成されたファイルの総頁が４分割され、各区分けされた第１段目〜第４段目のそれぞれに総枚数（２頁で１枚）に対する対象頁の頁付けがされてレイアウト処理が行われる。すなわち、上記図５（Ｃ）に示した手法で、総枚数の奇数頁に表面での印刷として表面フラグを立て、偶数頁に裏面での印刷として裏面フラグを立てる。続いて、第１段目および第３段目において、表面フラグが立っている頁に面付け領域の印刷先頭から１番目エリア（Ｓ−Ａ）３番目エリア（Ｓ−Ｃ）を設定し、当該第１段目および第３段目において裏面フラグが立っている頁に面付け領域の印刷先頭から２番目エリア（Ｒ−Ｂ）、４番目エリア（Ｒ−Ｄ）を設定する。
【００４４】
また、第２段目および第４段目において、表面フラグが立っている頁に面付け領域の印刷先頭から２番目エリア（Ｓ−Ｂ）、４番目エリア（Ｓ−Ｄ）を設定し、当該第２段目および第４段目において裏面フラグが立っている頁に面付け領域の印刷先頭から１番目エリア（Ｒ−Ａ）、３番目エリア（Ｒ−Ｃ）を設定するものである。このように面付け領域が設定されて、図８（Ｂ）に示すような印刷設定ファイル７１とされるものである。
【００４５】
全体的には、上記頁付加手段３４が顧客ファイルＤＢ２５より提供されて印刷ファイルＤＢ４２に格納されている印刷対象の全顧客の全印刷データファイルを読み出し、各顧客毎の頁数を判別して所定顧客の印刷データファイルが奇数頁の場合には、その最終頁の後に空白頁を挿入することで偶数頁とする印刷データファイルに更新することは、上記図６（Ａ）と同様である。
【００４６】
そこで、上記ファイル合成手段３５が、図９（Ａ）に示すように、全顧客の更新された印刷データファイルと更新されなかった印刷データファイルの全印刷データファイルにおける全頁の総てを合成して単一のロット印刷データファイルの対象とする。続いて、印刷編集手段３６が、まず設定手段３８で設定された基本事項の印刷用紙の大きさ、面付け数（ここでは４面付け）および印刷形態（ここでは両面印刷）に基づいて、合成した総頁を面付け数で４つに区分けして第１段〜第４段とし、このとき上記同様に区分け先頭が所定顧客の先頭頁とすべく調整する。そして、各顧客の対象頁を総枚数の対象頁に対応させて設定すると共に、図５（Ｃ）に示すようなアルゴリズムで面付け領域を設定することで図８（Ｂ）に示す印刷設定ファイル７１を作成する。
【００４７】
また、上記印刷設定ファイル７１に基づいて、図９（Ｂ）に示すように、総枚数の各対象頁毎の多面付け枚葉紙に４面付け両面の第１段〜第４段の面付け領域（Ｓ−Ａ、Ｓ−Ｂ、Ｓ−Ｃ、Ｓ−Ｄ、Ｒ−Ｂ、Ｒ−Ａ、Ｒ−Ｃ、Ｒ−Ｄ）を設定して面付けしていく。例えば、図のように総枚数の１枚目表には第１番目エリア（Ｓ−Ａ）に顧客「ＡＡＡ」の対象１頁目、第２番目エリア（Ｓ−Ｂ）に顧客「ＧＧＡ」の対象１頁目、第３番目エリア（Ｓ−Ｃ）に顧客「ＮＮＡ」の対象１頁目、第４番目エリア（Ｓ−Ｄ）に顧客「ＴＴＡ」の対象１頁目が配される。また、総枚数の１枚目裏には第１番目エリア（Ｒ−Ａ）に顧客「ＧＧＡ」の対象２頁目、第２番目エリア（Ｒ−Ｂ）に顧客「ＡＡＡ」の対象２頁目、第３番目エリア（Ｒ−Ｃ）に顧客「ＴＴＡ」の対象２頁目、第４番目エリア（Ｒ−Ｄ）に顧客「ＮＮＡ」の対象２頁目が配される。以降、総枚数の２枚目以降のレイアウトも同様に順次上記印刷設定ファイル７１に基づいてレイアウト処理が行われるものである。
【００４８】
このとき、各面付け領域（一方面でも、両面でもよい）の周囲に、図１（Ｂ）に示すようにレジスタマーク１４を付加し、当該印刷エリアに配置された対応の顧客に応じたバーコード１５および管理番号（顧客ＩＤ）１６をファイル管理ＤＢ４１より抽出して付加し、適宜頁を付加する。そして、元データである各顧客毎の印刷データファイルに対応するフォントの埋め込みをエンベット手段３３により行わせて全体を単一のロット印刷データファイル（例えばＰＤＦフォーマット）７２として印刷処理システム２２の印刷手段２３に送る。
【００４９】
印刷手段２３では、ロット印刷データファイル７２に基づいて、当該印刷データを例えば印刷方式のページ記述データに変換して印刷が行われて、印刷後は印刷順に積み重ねられた状態とされる。そして、断裁手段２４において、印刷用紙における第１段〜第４段の各面付け領域毎にレジスタマーク１４に基づいて重ね方向に断裁する。断裁された状態が、図１０（Ａ）に示されるように、第１段に対応した第１の断裁ブロック１７Ａと、第２段に対応した第２の断裁ブロック１７Ｂと、第３段に対応した第３の断裁ブロック１７Ｃと、第４段に対応した第４の断裁ブロック１７Ｄなる。この第４の断裁ブロック１７Ｄ上に、第３の断裁ブロック１７Ｃ、第２の断裁ブロック１７Ｂ、第１の断裁ブロック１７Ａを順次重ねることで、図１０（Ｂ）に示すように単一の総合ブロック１８とするものであり、このとき当該総合ブロック１８は各顧客毎の対象頁が両面で順に配置された状態となるものである。
【００５０】
次に、図１１に本発明に係る印刷処理制御システムの３面付け両面印刷レイアウトの基本説明図を示すと共に、図１２および図１３に図１１の４面付け両面印刷レイアウトの処理説明図を示す。当該３面付け両面印刷レイアウトは、基本的には、４面付け両面印刷レイアウトの第４段を省略した形態でレイアウト処理が可能であり、したがってそれ以上の面付け両面印刷であって、奇数の面付け両面印刷に適用することができるものである。この場合であっても上記図５（Ａ）に示すように、所定顧客の印刷データファイルが奇数頁の場合には、その最終頁の後に空白頁を挿入させることで偶数頁とされるもので、全顧客の各印刷データファイルは総て偶数頁とさせる。このとき、後述の印刷設定ファイル７１では空白頁が挿入される場合として付加頁フラグが立てられるものである。
【００５１】
レイアウト処理は、図１１（Ａ）に示すように、３面付け両面印刷として、表面において印刷先頭から最初に印刷される１番目エリアＡを第１段表（Ｓ−Ａ）、３番目エリアＣを第３段表（Ｓ−Ｃ）とし、次に印刷される２番目エリアＢを第２段表（Ｓ−Ｂ）とする。また、裏面において印刷先頭から最初に印刷される１番目エリアＡを第２段裏（Ｒ−Ａ）とし、次に印刷される２番目エリアＢを第１段裏（Ｒ−Ｂ）３番目エリアＣを第３段裏（Ｒ−Ｃ）とする。
【００５２】
すなわち、印刷用紙１１の左側を第１段および第３段、右側を第２段の３面付けとしたときに、第１段では表面がＳ−Ａ、裏面がＲ−Ｂとなり、第２段では表面がＳ−Ｂ、裏面がＲ−Ａとなり、第３段では表面がＳ−Ｃ、裏面がＲ−Ｃとなるものである。なお、第１段および第２段の表裏Ａ、Ｂの２面付け両面印刷レイアウトと、仮想的に第４段を設けて第３段および第４段の表裏Ｃ、Ｄの２面付け両面印刷レイアウトのうちの第４段を省略した場合とを合わせた形で３面付け両面印刷レイアウトとなるものである。
【００５３】
そこで、各顧客の印刷対象頁が総て偶数頁とされて合成されたファイルの総頁が３分割され、各区分けされた第１段目〜第３段目のそれぞれに総枚数（２頁で１枚）に対する対象頁の頁付けがされてレイアウト処理が行われる。すなわち、上記図５（Ｃ）に示した手法で、総枚数の奇数頁に表面での印刷として表面フラグを立て、偶数頁に裏面での印刷として裏面フラグを立てる。続いて、第１段目および第３段目において、表面フラグが立っている頁に面付け領域の印刷先頭から１番目エリア（Ｓ−Ａ）３番目エリア（Ｓ−Ｃ）を設定し、当該第１段目および第３段目において裏面フラグが立っている頁に面付け領域の印刷先頭から２番目エリア（Ｒ−Ｂ）を設定する。
【００５４】
また、第２段目において、表面フラグが立っている頁に面付け領域の印刷先頭から２番目エリア（Ｓ−Ｂ）を設定し、当該第２段目において裏面フラグが立っている頁に面付け領域の印刷先頭から１番目エリア（Ｒ−Ａ）を設定するものである。このように面付け領域が設定されて、図１１（Ｂ）に示すような印刷設定ファイル８１とされるものである。
【００５５】
全体的には、上記頁付加手段３４が顧客ファイルＤＢ２５より提供されて印刷ファイルＤＢ４２に格納されている印刷対象の全顧客の全印刷データファイルを読み出し、各顧客毎の頁数を判別して所定顧客の印刷データファイルが奇数頁の場合には、上記付加頁フラグに基づき、その最終頁の後に空白頁を挿入することで偶数頁とする印刷データファイルに更新することは、上記図６（Ａ）と同様である。
【００５６】
そこで、上記ファイル合成手段３５が、図１２（Ａ）に示すように、全顧客の更新された印刷データファイルと更新されなかった印刷データファイルの全印刷データファイルにおける全頁の総てを合成して単一のロット印刷データファイルの対象とする。続いて、印刷編集手段３６が、まず設定手段３８で設定された基本事項の印刷用紙の大きさ、面付け数（ここでは３面付け）および印刷形態（ここでは両面印刷）に基づいて、合成した総頁を面付け数で３つに区分けして第１段〜第３段とし、このとき上記同様に区分け先頭が所定顧客の先頭頁とすべく調整する。そして、各顧客の対象頁を総枚数の対象頁に対応させて設定すると共に、図５（Ｃ）に示すようなアルゴリズで面付け領域を設定することで図１１（Ｂ）に示す印刷設定ファイル８１を作成する。
【００５７】
また、上記印刷設定ファイル８１に基づいて、図１２（Ｂ）に示すように、総枚数の各対象頁毎の多面付け枚葉紙に３面付け両面の第１段〜第３段の面付け領域面（Ｓ−Ａ、Ｓ−Ｂ、Ｓ−Ｃ、Ｒ−Ｂ、Ｒ−Ａ、Ｒ−Ｃ）を設定して面付けしていく。例えば、図のように総枚数の１枚目表には第１番目エリア（Ｓ−Ａ）に顧客「ＡＡＡ」の対象１頁目、第２番目エリア（Ｓ−Ｂ）に顧客「ＪＪＡ」の対象１頁目、第３番目エリア（Ｓ−Ｃ）に顧客「ＲＲＡ」の対象１頁目が配される。また、総枚数の１枚目裏には第１番目エリア（Ｒ−Ａ）に顧客「ＪＪＡ」の対象２頁目、第２番目エリア（Ｒ−Ｂ）に顧客「ＡＡＡ」の対象２頁目、第３番目エリア（Ｒ−Ｃ）に顧客「ＲＲＡ」の対象２頁目が配される。以降、総枚数の２枚目以降のレイアウトも同様に順次上記印刷設定ファイル８１に基づいてレイアウト処理が行われるものである。
【００５８】
このとき、各面付け領域（一方面でも、両面でもよい）の周囲に、図１（Ｂ）に示すようにレジスタマーク１４を付加し、当該印刷エリアに配置された対応の顧客に応じたバーコード１５および管理番号（顧客ＩＤ）１６をファイル管理ＤＢ４１より抽出して付加し、適宜頁を付加する。そして、元データである各顧客毎の印刷データファイルに対応するフォントの埋め込みをエンベット手段３３により行わせて全体を単一のロット印刷データファイル（例えばＰＤＦフォーマット）７２として印刷処理システム２２の印刷手段２３に送る。
【００５９】
印刷手段２３では、ロット印刷データファイル７２に基づいて、当該印刷データを例えば印刷方式のページ記述データに変換して印刷が行われて、印刷後は印刷順に積み重ねられた状態とされる。そして、断裁手段２４において、印刷用紙における第１段〜第３段の各面付け領域毎にレジスタマーク１４に基づいて重ね方向に断裁する。断裁された状態が、図１３（Ａ）に示されるように、第１段に対応した第１の断裁ブロック１７Ａと、第２段に対応した第２の断裁ブロック１７Ｂと、第３段に対応した第３の断裁ブロック１７Ｃとなる。この第３の断裁ブロック１７Ｃ上に、第２の断裁ブロック１７Ｂ、第１の断裁ブロック１７Ａを順次重ねることで、図１３（Ｂ）に示すように単一の総合ブロック１８とするものであり、このとき当該総合ブロック１８は各顧客毎の対象頁が両面で順に配置された状態となるものである。
【００６０】
次に、図１４に、本発明に係る印刷処理システムにおける連続用紙を使用した場合の説明図を示す。上記各実施形態では、枚葉紙への多面付け印刷に対する場合を示したが、この実施形態では連続用紙について説明する。また、ここでは２面付け両面印刷として説明するが、他の多面付けについても上記図３、図８、図１１と同様の手法で適用することができるものである。
【００６１】
図１４（Ａ）、（Ｂ）において、連続用紙９１は、搬送用の孔が形成されたマージナル部９２Ａ，９２Ｂが両測にミシン線等により切り取り自在に形成され、上記枚葉に対応した印刷単位の領域９４毎にミシン線等により切り取り自在に形成される。この印刷単位の領域９４毎には印刷開始の目安となるタイミングマーク９５がそれぞれ形成されたものであり、当該領域９４内に第１段Ａと第２段Ｂとに各顧客毎の印刷対象頁が印刷されるものである。
【００６２】
上記連続用紙９１に対する２面付け両面印刷のときのレイアウトを、図５を用いて説明すると、図５（Ｄ）に示す印刷設定ファイル６１が作成されるまでは同様であり、印刷処理システム２２に送るロット印刷データファイルを作成するにあって、連続用紙特有のものとなる。すなわち、図５（Ｄ）に示す印刷設定ファイル６１のうち、表面フラグが立っている対象を抽出して一塊とし、裏面フラグが立っている対象を抽出して一塊とする。
【００６３】
この場合、印刷処理システム２２において印刷手段２３の印刷機構が単一の場合には、一塊とした表面印刷分をロット表印刷データファイルと、一塊とした裏面印刷分をロット裏印刷データファイルとの２つのファイルとする。また、印刷手段２３の印刷機構が表裏印刷用として２つの印刷機構の場合には、一塊とした表面印刷分と裏面印刷分を合わせたロット印刷データファイルとする。
【００６４】
ここでは、別々のロット表印刷データファイルとロット裏印刷データファイルとして作成した場合、ロット表印刷データファイルに基づいて、図１４（Ａ）に示すように、連続用紙９１の表面を印刷して巻き取る。これをセットし直してロット裏印刷データファイルに基づいて、図１４（Ｂ）に示すように、連続用紙９１の裏面を印刷するものである。続いて、印刷後にマージナル部９２Ａ，９２Ｂが分離されると共に、印刷単位の領域９５毎に分離されて印刷順に積み重ねられることで印刷済ブロック９６とされる（図７（Ｂ）の状態）。そして、図７（Ｃ）と同様に、第１段に対応した第１の断裁ブロック１７Ａと、第２段に対応した第２の断裁ブロック１７Ｂとなる。この第１の断裁ブロック１７Ａを第２の断裁ブロック１７Ｂ上に重ねることで、上述の図４（Ｄ）に示すように単一の総合ブロック１８とするものであり、このとき当該総合ブロック１８は各顧客毎の対象頁が両面で順に配置された状態となるものである。
【００６５】
このように、上記各実施形態に示すように、片面印刷、両面印刷に拘わらず複数顧客毎に可変データ印刷が要求される多面付け印刷後に各対象毎に対応させた頁順に配置させることができるものである。
【００６６】
ところで、上記各実施形態における図３、図５、図８、図１１では、例えば図５（Ｂ）に示すように印刷方向に対して第１段目と第２段目とを同方向に配置した場合を示したが、当該第１段目と第２段目の印刷エリアが用紙に対して定められることから、第１段目と第２段目を同時に印刷する方向としても同様の手法によるレイアウトで行うことができるものである。
【産業上の利用可能性】
【００６７】
本発明の印刷処理方法および印刷処理制御システムは、各種帳票、電話料金等の通知事項の印刷や、製本印刷等に適するものである。
【図面の簡単な説明】
【００６８】
【図１】本発明に係る印刷処理方法の原理説明図である。
【図２】本発明に係る印刷処理制御システムの一実施形態を含む印刷システム全体のブロック構成図である。
【図３】本発明に係る印刷処理制御システムの２面付け片面印刷レイアウトの基本説明図である。
【図４】図３の２面付け片面印刷レイアウトの処理説明図である。
【図５】本発明に係る印刷処理制御システムの２面付け両面印刷レイアウトの基本説明図である。
【図６】図５の２面付け両面印刷レイアウトの処理説明図（１）である。
【図７】図５の２面付け両面印刷レイアウトの処理説明図（２）である。
【図８】本発明に係る印刷処理制御システムの４面付け両面印刷レイアウトの基本説明図である。
【図９】図８の４面付け両面印刷レイアウトの処理説明図（１）である。
【図１０】図８の４面付け両面印刷レイアウトの処理説明図（２）である。
【図１１】本発明に係る印刷処理制御システムの３面付け両面印刷レイアウトの基本説明図である。
【図１２】図１１の４面付け両面印刷レイアウトの処理説明図（１）である。
【図１３】図１１の４面付け両面印刷レイアウトの処理説明図（２）である。
【図１４】本発明に係る印刷処理システムにおける連続用紙を使用した場合の説明図である。
【符号の説明】
【００６９】
１１                    多面付け枚葉紙
１２，１３              多面付けエリア
１７                    断裁ブロック
１８                    総合ブロック
２１                    印刷処理制御システム
２２                    印刷処理システム
２５                    顧客ファイルＤＢ
５１，６１，７１，８１  印刷設定ファイル
５２，６２，７２，８２  ロット印刷データファイル
９１                    連続用紙
【図１】
2005313522.tif 000003
【図２】
2005313522.tif 000004
【図３】
2005313522.tif 000005
【図４】
2005313522.tif 000006
【図５】
2005313522.tif 000007
【図６】
2005313522.tif 000008
【図７】
2005313522.tif 000009
【図８】
2005313522.tif 000010
【図９】
2005313522.tif 000011
【図１０】
2005313522.tif 000012
【図１１】
2005313522.tif 000013
【図１２】
2005313522.tif 000014
【図１３】
2005313522.tif 000015
【図１４】
2005313522.tif 000016